(57)【要約】【課題】本発明は、十分な接触圧を保ちつつ、幅の異なる印画紙に対して適切に印画することが可能なプリンター装置を提供することを目的とする。【解決手段】本発明にかかるプリンター装置は、印画紙としてのペーパーに熱を印加するサーマルヘッド１と、それぞれ異なる幅を有する複数の第１プラテンローラー１５及び第２プラテンローラー１６と、第１プラテンローラー１５及び第２プラテンローラー１６のうちのいずれか１つがサーマルヘッド１と対向して印画動作に供せられる印画位置にあり、残りのプラテンローラーが印画位置から退避した退避位置にあるように、第１プラテンローラー１５及び第２プラテンローラー１６の位置を切り替える、切替え部としての、シャフト１４、ホルダー１７Ａ、ホルダー１７Ｂとを備える。【選択図】図１
2012224042.tif 000002
【特許請求の範囲】
【請求項１】
印画紙に熱を印加するサーマルヘッドと、
それぞれ異なる幅を有する複数のプラテンローラーと、
複数の前記プラテンローラーのうちのいずれか１つが前記サーマルヘッドと対向して印画動作に供せられる印画位置にあり、残りの前記プラテンローラーが前記印画位置から退避した退避位置にあるように、複数の前記プラテンローラーの位置を切り替える、切替え部とを備えることを特徴とする、
プリンター装置。
【請求項２】
前記切替え部は回転軸を備え、前記回転軸を中心として各前記プラテンローラーを回転移動させることにより、複数の前記プラテンローラーのそれぞれの位置を切り替えることを特徴とする、
請求項１に記載のプリンター装置。
【請求項３】
前記印画紙の幅を検出する検出部をさらに備え、
前記切替え部が、前記検出部において検出した前記印画紙の幅に基づいて、複数の前記プラテンローラーのうち、前記印画紙の幅に対応する幅を有する前記プラテンローラーを前記印画位置に切り替えることを特徴とする、
請求項１又は２に記載のプリンター装置。
【発明の詳細な説明】
【技術分野】
【０００１】
本発明はプリンター装置に関し、特に、サーマルヘッドとプラテンローラーとを用いて、印画紙（ペーパー）に印画するプリンター装置に関するものである。
【背景技術】
【０００２】
熱転写型のプリンター装置は、プラテンローラーと、所定のヘッド圧を付勢したサーマルヘッドとの間に印画紙を挿入して、印画紙への印画動作を行う。
【０００３】
このとき、印画紙の幅がプラテンローラーの幅に対して小さい場合には、印画紙の幅方向からはみだしたプラテンローラーの両端部が、対向して備えられるサーマルヘッドに直接接触してしまう。よって、搬送系への負荷が増大し印画紙が正常に搬送できないという問題があった。
【０００４】
このため、１台のプリンター装置で、幅の異なる印画紙に対して印画することは困難であったが、改善策として、例えば特許文献１に示すような、印画紙の幅に対応してヘッド圧を変化させる印字装置が開示されていた。
【先行技術文献】
【特許文献】
【０００５】
【特許文献１】特開２０００−８５１６４号公報（第１頁、第１図）
【発明の概要】
【発明が解決しようとする課題】
【０００６】
しかし、特許文献１に示すような印字装置においては、印画紙の幅に対応してヘッド圧を変化させる必要があるため、印画紙とサーマルヘッドとの間で十分な接触圧が得られない場合が生じ、良好な印画が得られないという問題があった。
【０００７】
本発明は、上記のような問題を解決するためになされたものであり、十分な接触圧を保ちつつ、幅の異なる印画紙に対して適切に印画することが可能なプリンター装置を提供することを目的とする。
【課題を解決するための手段】
【０００８】
本発明にかかるプリンター装置は、印画紙に熱を印加するサーマルヘッドと、それぞれ異なる幅を有する複数のプラテンローラーと、複数の前記プラテンローラーのうちのいずれか１つが前記サーマルヘッドと対向して印画動作に供せられる印画位置にあり、残りの前記プラテンローラーが前記印画位置から退避した退避位置にあるように、複数の前記プラテンローラーの位置を切り替える、切替え部とを備えることを特徴とする。
【発明の効果】
【０００９】
本発明にかかるプリンター装置によれば、印画紙に熱を印加するサーマルヘッドと、それぞれ異なる幅を有する複数のプラテンローラーと、複数の前記プラテンローラーのうちのいずれか１つが前記サーマルヘッドと対向して印画動作に供せられる印画位置にあり、残りの前記プラテンローラーが前記印画位置から退避した退避位置にあるように、複数の前記プラテンローラーの位置を切り替える、切替え部とを備えることにより、十分な接触圧を保ちつつ、幅の異なる印画紙に対して適切に印画することができる。
【図面の簡単な説明】
【００１０】
【図１】実施の形態１にかかるプリンター装置の構造図である。
【図２】実施の形態１にかかるプリンター装置の、ペーパーロールとプラテンローラーとの配置関係を表した構造図である。
【図３】実施の形態１にかかるプリンター装置の、プラテンローラーを切り替える状態を表した構造図である。
【図４】実施の形態１にかかるプリンター装置の、プラテンローラーを切り替えた状態を表した構造図である。
【図５】実施の形態１にかかるプリンター装置の、ペーパーロールと幅規制ガイドの取付けを表した構造図である。
【図６】実施の形態１にかかるプリンター装置の、ペーパーロールとプラテンローラーの状態を表した構造図である。
【発明を実施するための形態】
【００１１】
＜Ａ．実施の形態１＞
＜Ａ−１．構成＞
図１は、本発明にかかるプリンター装置の構造図である。図１に示すようにプリンター装置は、印画紙であるペーパーに熱を印加するサーマルヘッド１と、サーマルヘッド１と対向して備えられる第１プラテンローラー１５及び第２プラテンローラー１６とを備えている。第１プラテンローラー１５は、第１の幅の印画紙（ペーパー）に対応する幅を有して備えられ、第２プラテンローラー１６は、第２の幅の印画紙（ペーパー）に対応する幅を有して備えられる。
【００１２】
サーマルヘッド１は、両側面をフレーム２に挟まれ、バネ３Ａ及びバネ３Ｂに押し付けられて固定されている。
【００１３】
第１プラテンローラー１５及び第２プラテンローラー１６は、回転軸としてのシャフト１４を中心として回転可能に備えられ、シャフト１４と、ホルダー１７Ａ及びホルダー１７Ｂを介して保持されている。
【００１４】
図１においては、第１プラテンローラー１５が、サーマルヘッド１とともにペーパーを挟み、印画動作を行う状態を示している。この時の第１プラテンローラー１５の位置を印画位置とし、一方で、第１プラテンローラー１５とともに備えられた第２プラテンローラー１６の配置位置は、印画位置からは退避した退避位置とする。
【００１５】
第１プラテンローラー１５のホルダー１７Ｂに固定された外側部分には第１プラテンギヤ８が固定され、第２プラテンローラー１６のホルダー１７Ｂに固定された外側部分には第２プラテンギヤ９が固定されている。これらの第１プラテンギヤ８又は第２プラテンギヤ９にギヤ７が接触し、さらにギヤ６、ギヤ５が順次接触しているので、印画紙（ペーパー）を駆動するモーター４からの駆動力が、第１プラテンギヤ８又は第２プラテンギヤ９へ、さらには第１プラテンローラー１５又は第２プラテンローラー１６へと伝達される。
【００１６】
さらにプリンター装置は、フレーム２に対し、ドアシャフト１２を回転軸として回転可能に保持されたドアホルダー１０と、ドアホルダー１０に固定され、印画紙（ペーパー）を載せるペーパートレイ１１と、第１プラテンローラー１５及び第２プラテンローラー１６の位置を保持するストッパー１３とを備える。
【００１７】
図２は、本発明にかかるプリンター装置の構造図であって、ドアホルダー１０をフレーム２から回転移動させて内部を開き、第１の幅でロール状の第１ペーパーロール１８と第１プラテンローラー１５との配置関係を示したものである。図２は、第１ペーパーロール１８に対応する幅を有する第１プラテンローラー１５が選択されている状態である。
【００１８】
図３は、本発明にかかるプリンター装置の構造図であって、図２の状態から第１ペーパーロール１８を取り出し、第１プラテンローラー１５から第２プラテンローラー１６へ、プラテンローラーを切り替える状態を示している。
【００１９】
図３中、第２プラテンローラー１６は、ストッパー１３によってその軸部分を保持及び固定されている。このストッパー１３は、弾性を持つバネ材のプレートであることが望ましい。
【００２０】
このストッパー１３を撓ませて、第２プラテンローラー１６軸部分の固定を解き、第１プラテンローラー１５及び第２プラテンローラー１６を保持している、ホルダー１７Ａ及びホルダー１７Ｂを、シャフト１４を中心に回転移動させる（図３中の矢印の方向）。すなわち、第１プラテンローラー１５が退避位置に移動され、第２プラテンローラー１６が印画位置に移動される。ここで、本実施の形態では回転軸を中心とした回転移動によってプラテンローラーを切り替えているが、移動手段はこの態様に限らず、プラテンローラーが適切に切り替えられる移動手段であればよい。
【００２１】
このようにして、第１プラテンローラー１５に代わって第２プラテンローラー１６を用い、ペーパーを挟むことができる。
【００２２】
第１プラテンローラー１５と第２プラテンローラー１６との位置を入れ替えた後、第１プラテンローラー１５の軸部分は、ストッパー１３と嵌合して固定される。
【００２３】
図４は、本発明にかかるプリンター装置の構造図であって、図３に示すようにシャフト１４を中心に回転し、第２プラテンローラー１６を使用する状態を示している。ストッパー１３が、第１プラテンローラー１５を保持している。
【００２４】
図５は、本発明にかかるプリンター装置の構造図であって、第２の幅を有するロール状の第２ペーパーロール１９と、第２プラテンローラー１６との組合せで、装置を使用する状態を示している。第２ペーパーロール１９を使用するときは、図５に示すように、幅規制ガイド２０及び幅規制ガイド２１を装着し、第２ペーパーロール１９を挟む。この幅規制ガイド２０及び幅規制ガイド２１によって、第２ペーパーロール１９の幅方向を規制することができる。幅規制ガイド２０及び幅規制ガイド２１は、図５中の矢印の方向に挿入することができる。図５に示すように、ペーパートレイ１１内に予め嵌合溝及び／又は位置決め穴を形成しておくとよい。
【００２５】
図６は、本発明にかかるプリンター装置の構造図であって、第２ペーパーロール１９と第２プラテンローラー１６との配置関係を示したものである。図６に示すように、ペーパーの幅が小さい場合には、プラテンローラーもペーパーの幅に対応した幅のものを使用することで、１台のプリンター装置で、複数の幅の異なるペーパーに印画することができる。
【００２６】
なお、ペーパーロールの幅を検出する検出部（図示せず）をさらに備えることにより、ペーパーロールの幅検出信号に基づいてシャフト１４を所定角度回転させ、対応する幅を有するプラテンローラーが印画位置になるように自動的に切り替える構成とすることも可能である。
【００２７】
＜Ａ−２．効果＞
本発明にかかる実施の形態によれば、プリンター装置において、印画紙としてのペーパーに熱を印加するサーマルヘッド１と、それぞれ異なる幅を有する複数の第１プラテンローラー１５及び第２プラテンローラー１６と、第１プラテンローラー１５及び第２プラテンローラー１６のうちのいずれか１つがサーマルヘッド１と対向して印画動作に供せられる印画位置にあり、残りのプラテンローラーが印画位置から退避した退避位置にあるように、第１プラテンローラー１５及び第２プラテンローラー１６の位置を切り替える、切替え部としての、シャフト１４、ホルダー１７Ａ、ホルダー１７Ｂとを備えることで、ヘッド圧を変化させずに十分な接触圧を保ち、１台の装置で、幅の異なる印画紙に対して適切に印画することができる。
【００２８】
すなわち、ペーパーの幅がプラテンローラーの幅に対して小さい場合に、プラテンローラーの両端部がサーマルヘッドに接触することを防ぐことができる。
【００２９】
また、本発明にかかる実施の形態によれば、プリンター装置において、回転軸としてのシャフト１４を備え、シャフト１４を中心として第１プラテンローラー１５及び第２プラテンローラー１６を回転移動させることにより、第１プラテンローラー１５及び第２プラテンローラー１６のそれぞれの位置を切り替えることで、ヘッド圧を変化させずに十分な接触圧を保ち、幅の異なる印画紙に対して適切に印画することができる。
【００３０】
また、本発明にかかる実施の形態によれば、プリンター装置において、ペーパーの幅を検出する検出部をさらに備え、検出部において検出したペーパーの幅に基づいて、第１プラテンローラー１５及び第２プラテンローラー１６のうち、ペーパーの幅に対応する幅を有するプラテンローラーを印画位置に切り替えることで、ペーパーに対応するプラテンローラーを用いて印画動作を行うことができる。
【符号の説明】
【００３１】
１  サーマルヘッド、２  フレーム、３Ａ，３Ｂ  バネ、４  モーター、５〜７  ギヤ、８  第１プラテンギヤ、９  第２プラテンギヤ、１０  ドアホルダー、１１  ペーパートレイ、１２  ドアシャフト、１３  ストッパー、１４  シャフト、１５  第１プラテンローラー、１６  第２プラテンローラー、１７Ａ，１７Ｂ  ホルダー、１８  第１ペーパーロール、１９  第２ペーパーロール、２０，２１  幅規制ガイド。
【図１】
2012224042.tif 000003
【図２】
2012224042.tif 000004
【図３】
2012224042.tif 000005
【図４】
2012224042.tif 000006
【図５】
2012224042.tif 000007
【図６】
2012224042.tif 000008